(57)【要約】【課題】蓋の開け閉めを容易に行い、対象物を容易に取り出すことが可能なパッケージを提供する。【解決手段】多角形の筒状の壁部１１を有する本体部１０と、前記本体部１０の少なくとも一方の開口部に形成され、前記本体部１０の中心軸方向における長さが、前記開口部の各辺から前記中心軸までの長さよりも長く設定された複数の切片部４０と、を備え、前記切片部４０は、各々の前記切片部４０が、前記本体部１０の内方に向かって、前記多角形の各辺と対応して周方向に順次折り曲げられ、最後の前記切片部４０が折り曲げられる場合に、所定の位置に差し込み可能な舌部４１を有することを特徴とする。【選択図】図１
2014024590.tif 000002
【特許請求の範囲】
【請求項１】
多角形の筒状の壁部を有する本体部と、
前記本体部の少なくとも一方の開口部に形成され、前記本体部の中心軸方向における長さが、前記開口部の各辺から前記中心軸までの長さよりも長く設定された複数の切片部と、を備え、
前記切片部は、
各々の前記切片部が、前記本体部の内方に向かって、前記多角形の各辺と対応して周方向に順次折り曲げられ、最後の前記切片部が折り曲げられる場合に、所定の位置に差し込み可能な舌部を有することを特徴とするパッケージ。
【請求項２】
前記壁部には、前記中心軸が延在する方向と異なる方向に形成され、前記舌部を差し込み可能な差し込み口が形成されていることを特徴とする請求項１に記載のパッケージ。
【請求項３】
前記舌部は、既に折り曲げられた前記切片部同士の間の隙間に差し込み可能であることを特徴とする請求項１に記載のパッケージ。
【請求項４】
前記本体部には、前記中心軸が延在する方向と異なる方向に、前記多角形の各辺と対応し切片部を構成するための第一の切込み予定部が形成されていることを特徴とする請求項１から請求項３のいずれか一項に記載のパッケージ。
【請求項５】
前記本体部には、前記中心軸が延在する方向と直交する方向に、前記多角形の各辺と対応する第二の切込み予定部が形成されていることを特徴とする請求項１から請求項４のいずれか一項に記載のパッケージ。
【請求項６】
前記開口部は、四角形状であることを特徴とする請求項１から請求項５のいずれか一項に記載のパッケージ。
【請求項７】
前記第一の切込み予定部は、曲線状に形成されていることを特徴とする請求項４又は請求項６に記載のパッケージ。
【発明の詳細な説明】
【技術分野】
【０００１】
本発明は、消耗などによって容量が減少する対象物を収容するパッケージに関するものである。
【背景技術】
【０００２】
例えばコットンやティッシュペーパーなどは、上下の壁部と側壁部とを有するパッケージに収容されており、このパッケージの上側の壁部に設けられた取り出し口から一つずつ取り出されて使用される。このようなパッケージの内容物（対象物）を取り出していくと、内容物の減少とともに内容物が取り出し口から遠くなって、内容物を取り出すことが困難となる。
【０００３】
例えば特許文献１、特許文献２では、平面視長方形の上下の壁部と、上下の壁部を連結する側壁部とを有し、上面に長方形状の取り出し口が形成されたパッケージが開示されている。特許文献１に記載のパッケージでは、側壁部の高さ方向中央の位置において、側壁部の周方向に沿って分断することでパッケージを上下に２つに分離し、この分離された上下のパッケージを重ね合わせてパッケージの高さを調節可能にしている。また、特許文献２に記載のパッケージでは、一方の対向する側壁部の一部を切り取り、他方の対向するパッケージの側壁部の一部をパッケージの外方に折りたたむことでパッケージの高さを調節可能にしている。
【先行技術文献】
【特許文献】
【０００４】
【特許文献１】実開平６−３９７８０号公報
【特許文献２】特開２００２−１９３３５８号公報
【発明の概要】
【発明が解決しようとする課題】
【０００５】
ところで、特許文献１に記載のパッケージでは、側壁部の高さ方向の中央の位置からパッケージを２つに分離する構成とされているので、パッケージの容量を小さくする際に内容物が露出し、不衛生となる。
【０００６】
また、特許文献２に記載のパッケージにおいても、対向する側壁部の一部を切り取る構成とされており、このとき内容物（対象物）が露出し、不衛生となる。内容物の残りの容量が、所定の形状に折りたたまれた後のパッケージの容積よりも大きい場合には、切り取られた側壁部の一部は常に開口したままとなり、不衛生になる。
さらに、特許文献１、特許文献２に記載のパッケージにおいては、取り出し口が常に開口しているため、内容物にほこりなどが付着しやすく不衛生である。
【０００７】
また、特許文献１に記載のパッケージでは、分離された二つのパッケージを重ね合わせる構成とされ、特許文献２に記載のパッケージでは、パッケージの一部を切り取ったり折り曲げたりする構成とされているので、パッケージに美しい模様が施されている場合に、パッケージの分離された箇所、折りたたまれた箇所、及び切り取られた箇所などにおいて模様の連続性が失われ、模様の美観を維持できなくなる。
【０００８】
また、特許文献２に記載のパッケージでは、パッケージの側壁部の一部をパッケージの外方に折りたたむ構成とされているので、パッケージの高さを細かく調節することが困難であり、内容物の残量に合わせてパッケージの容量を変更することができない。また、折りたたまれた側壁部が突出し、パッケージを配置する際に余分なスペースを必要とする問題がある。
【０００９】
本発明の目的は、少なくとも以下のいずれかを達成可能なパッケージを提供することである。
（１）蓋の開け閉めを容易に行い、対象物を容易に取り出すこと。
（２）対象物の消耗した量に応じてパッケージの容量を容易に変更すること。
【課題を解決するための手段】
【００１０】
前述の課題を解決するために、本発明のパッケージは、多角形の筒状の壁部を有する本体部と、前記本体部の少なくとも一方の開口部に形成され、前記本体部の中心軸方向における長さが、前記開口部の各辺から前記中心軸までの長さよりも長く設定された複数の切片部と、を備え、前記切片部は、各々の前記切片部が、前記本体部の内方に向かって、前記多角形の各辺と対応して周方向に順次折り曲げられ、最後の前記切片部が折り曲げられる場合に、所定の位置に差し込み可能な舌部を有することを特徴とする。
【００１１】
本発明のパッケージによれば、本体部の開口部を構成する多角形の各辺から、本体部の中心軸までの長さよりも長く設定された複数の切片部を備えているので、これらの切片部を本体部の内方に向かって周方向に順次折り曲げ、所定の位置に舌部を差し込むことによって、開口部に蓋を形成することができる。そして、切片部の姿勢を変えることで蓋の開け閉めを容易に行うことができる。また、パッケージの開口部を筒状の壁部の内周いっぱいに開くことができるため、内容物を容易に取り出すことが可能である。
【００１２】
また、前記壁部には、前記中心軸が延在する方向と異なる方向に形成され、前記舌部を差し込み可能な差し込み口が形成されていても良い。
このような構成にすることで、切片部を本体部の内方に向かって周方向に順次折り曲げ、最後に切片部を折り曲げる場合に、壁部に形成された差し込み口に舌部を差し込むことによって、舌部を差し込み口に係合させて開口部を閉じ、安定した蓋を形成することが可能である。
【００１３】
前記舌部は、既に折り曲げられた前記切片部同士の間の隙間に差し込み可能とされていても良い。
このような構成にすることで、切片部を本体部の内方に向かって周方向に順次折り曲げ、最後に切片部を折り曲げる場合に、既に折り曲げられた切片部同士の間の隙間に舌部を差し込むことによって、舌部を切片部同士の隙間に係合させ開口部を閉じ、安定した蓋を形成することが可能である。
【００１４】
前記本体部には、前記中心軸が延在する方向と異なる方向に、前記多角形の各辺と対応し切片部を構成するための第一の切込み予定部が形成されていても良い。
このような構成にして、パッケージの内部に収容された内容物を取り出して使用し、内容物の容量に応じたパッケージの容量（中心軸線方向長さ（以下、軸線方向長さという））にする場合には、既に形成されている切片部を取り除き、本体部に新たに形成された開口部から対応する第一の切込み予定部に切込みを入れて、新たな切片部を形成する。そして、これらの切片部を本体部の内方に向かって周方向に順次折り曲げ、所定の位置に舌部を差し込むことによって、本体部の開口部を閉じる新たな蓋を形成することができる。このようにすることで、内容物の容量に応じてパッケージの軸線方向長さを容易に変更することができ、内容物が減っても容易に内容物を取り出すことが可能である。また、この場合には、本体部の一方側から順にパッケージの中心軸方向長さが短くなっていくので、壁部に模様などが描かれている場合に、模様などの連続性を損なうのを抑制してパッケージの容量を変更することができる。
【００１５】
また、このような構成にすることによって、パッケージの軸線方向長さを変更する場合に、切込み予定部に沿って壁部に切込みを入れ、新たな切片部及び舌部を容易に形成することができる。また、このような構成では、多角形を構成する辺は、本体部の開口部における切片部が形成される位置に応じて変化することになる。この場合には、中心軸線方向（軸線方向）から見て、本体部の一方側及び他方側に形成された多角形同士が、軸線回りにずれた関係になることがある。この時、本体部の軸線方向の長さの中央の位置における本体部の形状は、軸線方向から見て、開口部の多角形よりも辺の数が２倍の多角形状となり、デザインの自由度が向上する。
【００１６】
前記本体部には、前記中心軸が延在する方向と直交する方向に、前記多角形の各辺と対応する第二の切込み予定部が形成されていても良い。
このような構成にすることによって、パッケージの軸線方向の長さを短くする際に、第二の切込み予定部に沿って取り除くべき切片部を容易に取り除くことができる。また、上述のように新たな切片部を形成する場合には、切片部の基端側の折り曲げ線をなし、切片部の基端側の折り曲げを容易にする。
【００１７】
前記開口部は、四角形状とされていても良い。
開口部が四角形状の場合、開口部の各辺に形成された合計４つの切片部をパッケージの内方に、開口部の各辺から周方向に順次折り曲げることで、開口部に隙間が生じないように蓋を形成することが可能である。また、軸線方向から見て、一方側の開口部の四角形状と他方側の開口部の四角形状とが本体部の中心軸周りに４５°ずれた関係になるように切片部を形成することによって、本体部の軸線方向中央においては軸線方向から見て八角形にすることができ、パッケージのデザインの自由度を向上させることができる。
【００１８】
前記第一の切込み予定部は、曲線状に形成されていても良い。
このような構成にすることによって、切片部のデザイン性が向上する。例えば、パッケージの壁部に花柄を描き、切片部を曲線に形成した場合には、パッケージを見た人に対して、切片部を花びらのように感じさせることができ、美感を向上させることができる。
【発明の効果】
【００１９】
本発明によれば、蓋の開け閉めを容易に行い、内容物を容易に取り出すことが可能なパッケージを提供することができる。対象物の消耗した量に応じてパッケージの容量を容易に変更することができるパッケージを提供することができる。
【図面の簡単な説明】
【００２０】
【図１】本発明の第一の実施形態に係るパッケージの斜視図である。
【図２】第一の実施形態に係るパッケージの展開図である。
【図３】第一の実施形態に係るパッケージの製造方法の説明図である。
【図４】本体部の一端側（上方側）の切込み線から切片部を本体部の外方に開いた状態のパッケージを示す図である。
【図５】第一の実施形態に係るパッケージの蓋の形成方法の説明図であって、切片部を一つ折り曲げた時の図である。
【図６】第一の実施形態に係るパッケージの蓋の形成方法の説明図であって、切片部を二つ折り曲げた時の図である。
【図７】第一の実施形態に係るパッケージの蓋の形成方法の説明図であって、切片部を三つ折り曲げた時の図である。
【図８】第一の実施形態に係るパッケージの蓋の形成方法の説明図であって、最後の切片部を折り曲げた時の図である。（ａ）は舌部を差し込み口に挿入している途中を示す図である。（ｂ）は蓋の完成図である。
【図９】（ａ）は、パッケージの内部が内容物で満たされている状態を示す図である。（ｂ）はパッケージの内部の内容物が減少した状態を示す図である。
【図１０】一端側の切片部を取り除いた状態を示す図である。
【図１１】図１０に示すパッケージの一端側に切片部を形成し、本体部の外方に切片部を開いた状態のパッケージを示す図である。
【図１２】新たに切片部を形成し、蓋を形成したときのパッケージの斜視図である。
【図１３】図１２のパッケージの側面図であって、開口部を新たに構成する四角形の辺と直交する側から見たときのパッケージの側面図である。
【図１４】（ａ）図１３のＡ−Ａ矢視断面図である。（ｂ）図１３のＢ−Ｂ矢視断面図である。（ｃ）図１３のＣ−Ｃ矢視断面図である。
【図１５】本発明の第二の実施形態に係るパッケージの斜視図である。
【図１６】第二の実施形態に係るパッケージの展開図である。
【図１７】（ａ）〜（ｅ）第二の実施形態に係るパッケージの蓋の形成方法を説明する図である。
【図１８】第一の実施形態及び第二の実施形態に係る展開図の変形例１である。
【図１９】第一の実施形態及び第二の実施形態に係る展開図の変形例２である。
【図２０】第一の実施形態及び第二の実施形態に係る展開図の変形例３である。
【図２１】第一の実施形態及び第二の実施形態に係る展開図の変形例４である。
【図２２】第一の実施形態及び第二の実施形態に係るパッケージの変形例５を示す斜視図である。
【発明を実施するための形態】
【００２１】
（第一の実施形態）
以下に、本発明の実施の形態について添付した図面を参照して説明する。
図１に、本発明の第一の実施形態に係るパッケージ１の斜視図を示す。第一の実施形態に係るパッケージ１は、図１に示すように、筒状の本体部１０を備え、本体部１０の一方側（図１において上側）及び他方側（図１において下側）の開口部には蓋２０が形成されている。このパッケージ１は、例えば、コットンやティッシュなどの内容物（対象物）を収容して、上側及び下側の開口部を蓋２０で閉じることができるようになっている。
【００２２】
本体部１０は、本体部１０の中心軸線方向（以下、軸線方向という）から見て、多角形の筒状の壁部１１を備えている。この壁部１１は、第一の実施形態においては、軸線方向から見て、四角形（正四角形）の筒状の壁部１１とされており、壁部１１の軸線方向長さは、中心軸線（以下、軸線という）に直交する方向の長さよりも長く設定されている。
【００２３】
壁部１１には、本体部１０の開口部を構成する四角形の４つの頂点を基端に、軸線が延在する方向と異なる方向に、第一の切込み予定線３１（切込み予定部、ミシン目）が形成されている。第一の実施形態においては、壁部１１の延在する方向と交差する方向に第一の切込み予定線３１（第一の切込み予定部）が形成されており、この第一の切込み予定線３１は、本体部１０の上側の開口部と対応する端部から下側の開口部と対応する端部に向かって連続的に形成されている。
【００２４】
また、壁部１１には、軸線に直交する方向に、本体部１０の開口部の辺と対応し切片部４０の基端側の折り曲げ線を兼ねた第二の切込み予定線３２が軸線方向に等間隔で形成されている。
さらに第一の実施形態において壁部１１には、軸線と直交する方向に、後述する舌部４１を差し込み可能な差し込み口４２が形成されている。
【００２５】
蓋２０は、本体部１０の上側及び下側の開口部を隙間がないように閉じている。この蓋２０は、開口部を構成する多角形の各辺に形成された切片部４０が本体部１０の内方に向かって順次折り曲げ、重ねられることにより、本体部１０の上側及び下側の開口部に形成されるようになっている。第一の実施形態においては、切片部４０に形成された舌部４１が壁部１１に形成された差し込み口４２に差し込まれている。
【００２６】
次に、第一の実施形態に係るパッケージ１の製造方法について説明する。
図２に、第一の実施形態に係るパッケージ１の展開図２を示す。パッケージ１の展開図２は、長方形に形成されており、上下方向の長さが左右方向の長さよりも長く設定されている。図２の展開図２において、実線は、切込み線３３及び差し込み口４２を示し、破線は第一の切込み予定線３１（第一の切込み予定部）及び第二の切込み予定線３２（第二の切込み予定部）を示し、一点鎖線は折れ線３４を示している。ここで、第二の切込み予定線３２は、蓋２０を形成する際は折曲げ線として使用される。
【００２７】
切込み線３３は、予め切込まれた線であり、展開図２の一端側及び他端側（図２において、上側及び下側）から、本体部１０の多角形の稜線に対して斜め方向に形成されている。第一の実施形態においては、展開図２の上側では、切込み線３３の基端側から先端側（切込み線の展開図２の外周側（上側）を先端側とする）に向けて左上方に直線状の切込み線３３が形成されている。また、展開図２の下側においては、切込み線３３の基端側から先端側（切込み線３３の展開図２の外周側（下側）を先端側とする）に向けて右下方に直線状の切込み線３３が形成される。この切込み線３３は、展開図２の上側及び下側にそれぞれ４箇所ずつ形成されている。この切込み線３３によって、切片部４０が形成されることになる。切片部４０には、折れ線３４を挟んで第二の切込み予定線３２と反対側に舌部４１が形成される。
【００２８】
第一の切込み予定線３１は、切込み線３３と同一の角度で斜め方向に展開図２に形成されている。第一の実施形態においては、第一の切込み予定線３１は、一端側（図２において上側）の切込み線３３と連続して直線状に形成されるとともに、隣り合う切込み線３３と同じ間隔で、展開図２の一端（図２において上端）と他端（図２において下端）の間で平行に形成されている。この第一の切込み予定線３１は、新たな切片部４０を形成するために予め形成されているものである。
【００２９】
また、切込み線３３の基端を通過するように、展開図２の左右方向に第二の切込み予定線３２が形成されている。この第二の切込み予定線３２は、展開図２の上下方向における切片部４０の寸法に対応する間隔で、展開図２の上下方向に等しい間隔をあけて例えば６本形成されている。この第二の切込み予定線３２は、切片部４０を取り除くために予め形成されるものであるが、新たな切片部４０を形成した際の切片部４０の基端側の折曲げ線をなしている。なお、第一の実施形態においては、切片部４０の展開図２における上下方向の長さの寸法と、開口部をなす多角形の辺の長さの寸法とが略等しくなるように設定されている。
第一の切込み予定線３１及び第二の切込み予定線３２は、例えば、ミシン目などによって形成すれば良い。
【００３０】
折れ線３４は、パッケージ１を組み立てる際の折り曲げ線として使用される線である。この折れ線３４は、本体部１０の稜線を形成する。
第一の実施形態においては、舌部４１を差し込み可能な差し込み口４２が左右方向に予め形成されている。この差し込み口４２は、蓋２０を形成する際に、最後に折り曲げられる切片部４０の舌部４１と対応する位置に形成されている。差し込み口４２は、新たな切片部４０を形成した際にも舌部４１を差し込めるように、上下方向に等間隔に形成されており、例えば５つの差し込み口４２が形成されている。
【００３１】
次に、図２に示す展開図２からパッケージ１を組み立てる方法について説明する。
まず、図３に示すように、切込み線３３（一点鎖線）で折り曲げ、予め折り目を付けてから、領域Ｓが重なるように展開図２の左右方向の両端を貼り付けて軸線方向から見て四角形（正四角形）の筒を形成する。こうして、四角形の筒状の壁部１１を有する本体部１０が形成され、本体部１０の上側及び下側の開口部には、本体部１０の各辺から切片部４０が延在した状態とされる。換言すると、パッケージ１は、正四角形（以下、単に四角形と記載する。）の筒状の壁部１１を有する本体部１０と、本体部１０の開口部に形成された切片部４０と、を備えた状態となる。
なお、図３においては、図を視認しやすくするために、本体部１０及び切片部４０の表面側にドット模様を付している（以下同様）。
【００３２】
図４は、本体部１０の上側の切込み線３３から切片部４０を本体部１０の外方に開いた状態を示した図である。このような状態の切片部４０を本体部１０の内方に折り曲げて、蓋２０を形成する方法について説明する。
まず、図５に示すように、切片部４０が本体部１０の開口部の四角形の各辺と対応するように折り曲げて一つ目の切片部４０を本体部１０の内方に折り曲げる。図５においては、具体的には、切片部４０を折り曲げて、折り曲げた辺に対して左隣の壁部１１の内周側に舌部４１が接するように挿入された場合について示している。
【００３３】
なお、最後に折り曲げられる舌部４１を差し込み口４２に挿入できるように、切片部４０を四角形の各辺と対応して軸線周りに同じ方向（図５において、左回り）に順次折り曲げるようにする。また、第一の実施形態においては、切片部４０の軸線方向の長さは、本体部１０の開口部を構成する四角形の一辺の長さと等しくなっている。
【００３４】
そして、本体部１０の内方に向かって切片部４０を軸線に対して右周りに順次折り曲げていく。具体的には、図６に示すように、一つ目の切片部４０の左隣に位置する二つ目の切片部４０を本体部１０の内方に折り曲げる。なお、図６において、破線は、最初に折り曲げられた切片部４０を示している。
さらに、図７に示すように、三つ目の切片部４０を本体部１０の内方に折り曲げる。なお、図７において、破線は、２つ目に折り曲げられた切片部４０について示している。
【００３５】
そして、図８（ａ）、（ｂ）に示すように、最後に４つ目の切片部４０を本体部１０の内方に折り曲げる。最後の切片部４０を折り曲げる際には、図８（ａ）に示すように、舌部４１を差し込み口４２に挿入し、舌部４１を差し込み口４２に係合させる。こうして、図８（ｂ）に示すように、本体部１０の四角形の開口部に、４つの切片部によって蓋２０が形成される。
そして、パッケージ１の下側にも同様にして切片部４０を折り曲げて蓋２０を形成することにより、第一の実施形態のパッケージが得られる。
【００３６】
次に、第一の実施形態に係るパッケージの使用方法について説明する。
図１に示すパッケージ１の内方には、図９（ａ）に示すように、例えばコットンやティシュペーパーなどの内容物９０が詰められており、これらを使用する際には、例えばパッケージ１の上側の蓋２０を開口させて、内容物９０を取り出して使用する。そして、内容物９０の使用を続けていくうちに内容物９０が減って、図９（ｂ）の矢印で示す位置まで内容物９０の上面の位置が下がる。第一の実施形態のパッケージ１においては、このようなときに、本体部１０の開口部の蓋２０を一段下側の切片部に移すことで、パッケージ１の容量（以下、軸線方向長さとする）を変更できるようになっている。以下では、パッケージ１の軸線方向長さを短くする変更方法について説明する。
【００３７】
まず、図１０に示すように、第二の切込み予定線３２に沿ってこれまで蓋２０を形成していた切片部４０を取り除く。
そして、図１１に示すように、取り除かれた切片部４０の切込み線３３と連続するように、第一の切込み予定線３１に切り込みを入れて新たな切片部４０を形成する。
次に、新たに形成した切片部４０を上述したように、パッケージ１の内方に軸線の右周り（上方から見て右回り）に折り曲げて新たな蓋２０を形成する。このとき、新たに形成された切片部４０の基端側の折り曲げ線は、第二の切込み予定線３２により構成される。また、最後に折り曲げる切片部４０の舌部４１を差し込み口４２に挿入できるように、切片部４０を多角形の各辺と対応して周方向に順次折り曲げるようにする。
【００３８】
このようにしてパッケージ１の軸線方向長さを短くしたときのパッケージ１の斜視図は、図１２のようになり、開口部を新たに構成する四角形のひとつの辺と直交する側から見たときの側面図は図１３のようになり、本体部１０の形状は、軸線方向長さを変化させる前に平面視四角形の直方体であったものが本体部１０の一方側（上側）が他方側（下側）に対してねじれた状態となる。
【００３９】
パッケージ１の上蓋２０Ａ（２０）（上側の蓋）と下蓋２０Ｂ（２０）（下側の蓋）の形状は、図１４（ａ）、（ｃ）に示すように、四角形状をしている。本体部１０の軸線方向から見た場合、上蓋２０Ａと下蓋２０Ｂの四角形状は、本体部１０の軸線に対して４５°ずれている。このように、上蓋２０Ａと下蓋が４５°ずれた状態となっており、上蓋２０Ａの四角形の各頂点から延びる稜線は、下蓋２０Ｂの各辺の中央に向かって延びるように形成されている。また下蓋２０Ｂの四角形の各頂点から延びる稜線は、上蓋２０Ａの各辺の中央に向かって延びるように形成されている。この結果、本体部１０の軸線方向中央において軸線方向と直交する断面は、図１４（ｂ）に示すように、八角形となっている。この本体部１０の稜線は、パッケージ１の上蓋２０Ａと下蓋２０Ｂの四角形の頂点に近づくにつれて稜線の角度が急になっている。
【００４０】
本発明の第一の実施形態に係るパッケージ１によれば、本体部１０の開口部を構成する多角形の各辺に形成される複数の切片部４０の長さが、本体部１０の軸線までの長さよりも長く設定されているので、これらの切片部４０を本体部１０の内方に向かって周方向に順次折り曲げ、差し込み口４２に舌部４１を差し込むことによって、開口部を閉塞する蓋２０を形成することができる。そして、切片部４０の姿勢を変えることで蓋２０の開け閉めを容易に行うことができる。また、パッケージの開口部を筒状の壁部１１の内周いっぱいに開くことができるため、内容物９０を容易に取り出すことが可能である。
【００４１】
また、パッケージ１の内部に収容された内容物９０が減少した場合、内容物９０の容量に応じたパッケージ１の軸線方向長さにする場合には、第二の切込み予定線３２に沿って切片部４０を取り除き、本体部１０に新たに形成された開口部から第一の切込み予定線３１に沿って切込みを入れて、新たな切片部４０を形成する。そして、これらの切片部４０を本体部１０の内方に向かって周方向に順次折り曲げ、差し込み口４２に舌部４１を差し込むことによって、本体部１０に新たな蓋２０を形成することができる。このようにすることで、内容物９０の容量に応じてパッケージ１の軸線方向長さを容易に変更することができ、内容物９０の容量が減少しても容易に取り出すことが可能である。また、この場合には、本体部１０の上側から順にパッケージの容量が減っていくので、壁部１１に模様などが描かれている場合に、模様などの連続性を損なうのを抑制してパッケージ１の軸線方向長さを変更することができる。
【００４２】
また、本体部１０には、軸線と直交する方向に第二の切込み予定線３２が形成されているので、取り除くべき切片部４０を容易に取り除くことができる。さらには、この第二の切込み予定線３２は、切片部４０の折曲げ線も兼ねているので、切片部４０を基端側から容易に折り曲げることができる。
【００４３】
また、本体部１０の開口部は、四角形状とされているので、開口部の各辺に形成された４つの切片部４０をパッケージ１の内方に折り曲げることで、隙間がないように開口部に蓋２０をして閉じることが可能である。また、既にあった切片部４０を取り除いて新たな切片部４０を形成することで、本体部１０の軸線方向から見て、上側の開口部の四角形と下側の開口部の四角形とが軸線に対して４５°ずれた位置となるので、本体部１０の軸線方向中央においては、軸線方向から見て八角形にすることができ、パッケージ１のデザインの自由度をより向上させることができる。
【００４４】
（第二の実施形態）
次に、本発明の第二の実施形態について説明する。なお、第一の実施形態と同一の構成のものについては同一の符号で記載し、詳細な説明を省略する。
図１５に、本発明の第二の実施形態に係るパッケージ１０１の斜視図を示す。第二の実施形態に係るパッケージ１０１は、図１５に示すように、筒状の本体部１０を備え、本体部１０の一方側（上側）及び他方側（下側）の開口部には蓋２０が形成されている。このパッケージ１０１は、第一の実施形態のパッケージ１と同様に、上側及び下側の開口部を蓋２０で閉じることができるようになっている。
【００４５】
本体部１０は、本体部１０の中心軸線方向（以下、軸線方向とする）から見て、多角形の筒状の壁部１１を備えている。この壁部１１は、第二の実施形態においては、軸線方向から見て、四角形（正四角形）の筒状の壁部１１とされており、壁部１１の軸線方向長さが軸線に直交する方向の長さよりも長く設定されている。
【００４６】
壁部１１には、開口部により構成される四角形の４つの頂点を基端に、軸線が延在する方向と異なる方向に第一の切込み予定線３１（切込み予定部、ミシン目）と、軸線に直交する方向に第二の切込み予定線３２とが形成されている。
なお、第二の実施形態においては第一の実施形態と異なり、壁部１１には、舌部４１を差し込み可能な差し込み口が形成されていない。
【００４７】
蓋２０は、本体部１０の上側及び下側の開口部を隙間がないように閉じている。この蓋２０は、開口部を構成する多角形の各辺に形成された切片部４０が本体部１０の内方に向かって順次折り曲げ、重ねられることにより、本体部１０の上側及び下側の開口部に形成されるようになっている。第二の実施形態においては、最後に折り曲げられた切片部４０の舌部４１が既に折り曲げられて切片部４０同士の間の隙間に挿入されている。
【００４８】
次に、第二の実施形態に係るパッケージの製造方法について説明する。
図１６に、第一の実施形態に係るパッケージ１０１の展開図１０２を示す。パッケージ１０１の展開図１０２は、長方形に形成されており、上下方向の長さが左右方向の長さよりも長く設定されている。図１６の展開図１０２において、実線は、切込み線３３を示し、破線は第一の切込み予定線３１（第一の切込み予定部）及び第二の切込み予定線３２（第二の切込み予定部）を示し、一点鎖線は折れ線３４を示している。この第二の実施形態に係るパッケージの展開図１０２は、差し込み口が形成されていないことを除いて第一の実施形態において説明したパッケージの展開図と同様の構成とされている。
【００４９】
次に、図１６に示す展開図１０２からパッケージ１０１を組み立てる方法について説明する。
まず、切込み線３３（一点鎖線）で折り曲げ、予め折り目を付けてから、領域Ｓが重なるように展開図１０２の左右方向の両端を貼り付けて軸線方向から見て四角形（正四角形）の筒を形成する。こうして、四角形の筒状の壁部１１を有する本体部１０が形成され、本体部１０の上側及び下側の開口部には、本体部１０の各辺から切片部４０が延在した状態とされる。換言すると、パッケージ１０１は、四角形の筒状の壁部１１を有する本体部１０と、本体部１０の開口部に形成された切片部４０と、を備えた状態となる。
【００５０】
次に、切片部４０を本体部１０の内方に折り曲げて、蓋２０を形成する方法について説明する。
図１７（ａ）に示すように、切片部４０が本体部１０の開口部の四角形の各辺と対応するように一つ目の切片部４０を本体部１０の内方に折り曲げる。
次に、本体部１０の内方に向かって切片部４０を軸線に対して右周り（上方から見て右）に順次折り曲げていく。具体的には、図１７（ｂ）に示すように、一つ目の切片部４０の左隣に位置する二つ目の切片部４０を本体部１０の内方に折り曲げる。そして、図１７（ｃ）に示すように、三つ目の切片部４０を本体部１０の内方に折り曲げる。
【００５１】
そして、図１７（ｄ）、（ｅ）に示すように、最後に４つ目の切片部４０を本体部１０の内方に折り曲げる。最後の切片部４０を折り曲げる際には、図１７（ｄ）に示すように、舌部４１を既に折り曲げられた一つ目の切片部４０と、二つ目の切片部４０及び三つ目の切片部４０との間の隙間に挿入し、舌部４１を切片部４０同士の間の隙間に係合させる。こうして、図１７（ｅ）に示すように、本体部１０の四角形の開口部に、４つの切片部４０によって蓋が形成される。
【００５２】
なお、第一の実施形態と異なり、４つの切片部４０のうち最初に折り曲げる切片部４０はどの切片部４０でも、蓋２０を形成することができる。
このようにして、第二の実施形態のパッケージ１０１が得られる。この第二の実施形態のパッケージ１０１は、第一の実施形態のパッケージ１と同様にして使用することができ、第一の実施形態に記載した方法と同様にして、内容物の容量に応じてパッケージ１０１の軸線方向長さを変更できるようになっている。
【００５３】
本発明の第二の実施形態に係るパッケージ１０１によれば、４つの切片部４０を本体部１０の内方に向かって周方向に順次折り曲げ、既に折り曲げられた切片部４０同士の間の隙間に舌部を差し込むことによって、開口部に安定した蓋２０を形成することができる。この蓋２０を形成する際に、最初に折り曲げる切片部４０は、４つの切片部４０のうちどの切片部４０でもよく、作業性が良い。そして、切片部４０の姿勢を変えることで蓋２０の開け閉めを容易に行うことができる。
【００５４】
（変形例１〜４）
次に、第一の実施形態及び第二の実施形態の変形例について説明する。
【００５５】
＜変形例１＞
図１８に変形例１のパッケージの展開図２０２を示す。変形例１のパッケージの展開図２０２は、長方形に形成されており、上下方向の長さが左右方向の長さよりも長く設定されている。図１８の展開図２０２において、実線は、切込み線３３を示し、破線は第一の切込み予定線２３１（第一の切込み予定部）及び第二の切込み予定線３２（第二の切込み予定部）を示し、一点鎖線は折れ線２３４を示している。
【００５６】
変形例１では、第一の実施形態及び第二の実施形態とは、第一の切込み予定線２３１、及び折れ線２３４が異なっており、切込み線３３、及び第二の切込み予定線３２については、上述した第一の実施形態及び第二の実施形態と同様の構成である。
折れ線２３４は、上下方向に４つ形成されており、上側の切込み線３３と下側の切込み線３３の基端同士を結ぶように形成されている。
【００５７】
第一の切込み予定線２３１は、切込み線３３と同一の角度で斜め方向に展開図２０２に形成されている。変形例１においては、新たに切片部４０を形成して本体部１０を短くする場合の新たな切片部４０の基端は、取り除く切片部４０の基端と同じ折れ線２３４に位置し、先端がこれから切取る第二の切込み線３２の中央に位置するように形成されている。この第一の切込み予定線２３１は、新たな切片部４０を形成するために予め形成されているものである。
【００５８】
パッケージの軸線方向長さを短くする場合、第一の実施形態及び第二の実施形態では、本体部１０の形状は、直方体から本体部１０の上側が下側に対してねじれた形状になるが、変形例１では、取り除かれる切片部４０と新たに形成される切片部４０の基端の位置が、軸線方向の同一位置に形成されるので、本体部の形状は直方体のままである。したがって、変形例１のパッケージによれば、本体部の稜線をねじることなく、パッケージの軸線方向長さを短くすることができる。
【００５９】
＜変形例２＞
次に、変形例２のパッケージの展開図３０２について説明する。図１９に変形例２のパッケージの展開図３０２を示す。変形例２のパッケージの展開図３０２は、長方形に形成されており、上下方向の長さが左右方向の長さよりも長く設定されている。図１９の展開図３０２において、実線は、切込み線３３を示し、破線は第一の切込み予定線３３１（第一の切込み予定部）及び第二の切込み予定線３２（第二の切込み予定部）を示し、一点鎖線は折れ線３３４を示している。
【００６０】
変形例２では、第一の実施形態及び第二の実施形態とは、第一の切込み予定線３３１、及び折れ線３３４が異なっており、切込み線３３、及び第二の切込み予定線３２については、上述した第一の実施形態及び第二の実施形態と同様の構成である。
折れ線３３４は、上下方向に４つ形成されており、上側の切込み線３３と下側の切込み線３３の基端同士を結ぶように形成されている。
【００６１】
変形例２においては、第一の切込み予定線３３１は、切込み線３３と同一の角度、又は折れ線３３４に対して線対称となる切込み線３３の角度で斜め方向に形成されている。この第一の切込み予定線３３１は、新たに切片部４０を形成して本体部を短くする場合の新たな切片部４０の基端は、取り除く切片部４０の基端と同じ折れ線３３４に位置し、先端がこれから切取る第二の切込み線３２の中央に位置するように形成されている。この第一の切込み予定線３３１は、新たな切片部４０を形成するために予め形成されているものである。
【００６２】
パッケージの軸線方向長さを一段短くして蓋を形成する場合、第一の実施形態及び第二の実施形態では、上方向から見て右回りに順に切片部を折り曲げることで蓋が形成されるが、変形例２では、左回りに切片部４０を折り曲げることで蓋を形成することができる。したがって、変形例２のパッケージでは、軸線方向長さを一段短くする毎に、蓋を形成する際の切片部４０を折り曲げる方向（周方向）を変えることができる。
なお、変形例２のパッケージは、軸線方向長さを短くした場合であっても、本体部の形状は直方体のままである。
【００６３】
＜変形例３＞
次に、変形例３のパッケージの展開図４０２について説明する。図２０に変形例３のパッケージの展開図４０２を示す。変形例３のパッケージの展開図４０２は、長方形に形成されており、上下方向の長さが左右方向の長さよりも長く設定されている。図２０の展開図４０２において、実線は、切込み線３３を示し、破線は第一の切込み予定線４３１（第一の切込み予定部）及び第二の切込み予定線３２（第二の切込み予定部）を示し、一点鎖線は折れ線３４を示している。
【００６４】
変形例３では、第一の実施形態及び第二の実施形態とは、第一の切込み予定線４３１が異なっており、切込み線３３、折れ線３４、及び第二の切込み予定線３２については、上述した第一の実施形態及び第二の実施形態と同様の構成である。
【００６５】
変形例３においては、第一の切込み予定線４３１は、切込み線３３と同一の角度、又は折れ線３４に対して線対称となる切込み線３３の角度で斜め方向に展開図４０２に形成されている。この第一の切込み予定線４３１は、新たに切片部４０を形成して本体部を短くする場合の新たな切片部４０の基端は、取り除く切片部４０の切込み線３３の先端と同じ折れ線３４に位置し、新たな切片部４０の先端は、取り除く切片部４０の切込み線３３の基端に位置するように形成されている。第一の切込み予定線４３１は、新たな切片部４０を形成するために予め形成されているものである。
【００６６】
変形例３のパッケージにおいては、パッケージの上側から軸線方向長さを一段短くし、第一の切込み予定線４３１に切込み３３を入れて切片部４０を形成した場合、左回りに切片部を折り曲げることで蓋を形成することができる。このとき、本体部の形状は、本体部の上側が下側に対してねじれた形状となる。
そしてさらに、パッケージの上側から軸線方向長さを一段短くし、第一の切込み予定線４３１に切込み３３を入れて切片部４０を形成した場合、右回りに切片部４０を折り曲げることで蓋を形成することができる。このとき、本体部の形状は、直方体となる。
このように、変形例３のパッケージによれば、パッケージの軸線方向長さを一段短くするごとに、蓋を形成する際の切片部４０を折り曲げる方向を変えることができるとともに、本体部の形状も変えることができる。
【００６７】
＜変形例４＞
図２１に変形例４のパッケージの展開図５０２を示す。変形例４のパッケージの展開図５０２は、長方形に形成されており、上下方向の長さが左右方向の長さよりも長く設定されている。図２１の展開図５０２において、実線は、切込み線５３３を示し、破線は第一の切込み予定線５３１（第一の切込み予定部）及び第二の切込み予定線３２（第二の切込み予定部）を示し、一点鎖線は折れ線３４を示している。
【００６８】
変形例４では、第一の実施形態及び第二の実施形態とは、第一の切込み予定線５３１、及び切込み線５３３が異なっており、折れ線３４と第二の切込み予定線３２については、上述した第一の実施形態及び第二の実施形態と同様の構成である。
【００６９】
第一の切込み予定線５３１及び切込み線５３３は、上述した展開図５０２では直線状に形成されていたが、変形例４においては、Ｓ字状（曲線状）に形成されている。
【００７０】
第一の切込み予定線５３１及び切込み線５３３を上述のように構成することによって、パッケージを形成した際に、切片部５４０（舌部５４１）の縁の形状がＳ字状（曲線状）となるので、例えば、壁部の表面に花柄などの模様が描かれている場合には、切片部５４０を花びらのように感じさせることができ、デザイン性が向上する。
【００７１】
＜変形例５＞
上述の実施形態では、切片部の高さが、本体部の開口部における四角形の各辺と同一となるように説明したが、切片部の高さは本体部の開口部における四角形の辺よりも短くても良い。この場合には、図２２に示すように、切片部６４０を折り曲げても、切片部６４０の基端の折曲げ線をなす辺と対向する辺まで切片部６４０は届かないが、４つの切片部６４０が重ねられることで蓋６２０を形成し、パッケージ６０１とすることができる。この切片部６４０の高さは、少なくとも開口部の辺から中心軸までの長さの半分よりも長く設定されていれば、開口部を閉塞するように蓋６２０を形成することが可能である。
【００７２】
以上、本発明の一実施形態であるパッケージについて説明したが、本発明はこれに限定されることはなく、この発明の技術的思想を逸脱しない範囲で適宜変更することが可能である。
【００７３】
なお、変形例１〜５においては、差し込み口が形成されていない場合を説明したが、差し込み口が形成されていても良い。
【００７４】
また、上記実施の形態においては、本体部の開口部が四角形の場合について説明したが、三角形（正三角形）、五角形（正三角形）、六角形（正六角形）などの多角形であっても良い。
【００７５】
また、上記実施の形態においては、展開図を組み立てた場合に、軸線方向を短くする前の本体部の形状が直方体になる場合について説明したが、本体部がねじれた状態になるように構成しても良い。
【００７６】
また、変形例４においては、切込み線、及び第一の切込み予定線がＳ字形状に形成されている場合について説明したが、これに限定されるものではなく、他の曲線状に形成されていても良い。
【符号の説明】
【００７７】
１、１０１、６０１  パッケージ
１０  本体部
１１  壁部
３１、２３１、３３１、４３１、５３１  第一の切込み予定線（第一の切込み予定部）
３２  第二の切込み予定線（第二の切込み予定部）
４０、５４０  切片部
４１、５４１  舌部
４２  差し込み口
【図１】
2014024590.tif 000003
【図２】
2014024590.tif 000004
【図３】
2014024590.tif 000005
【図４】
2014024590.tif 000006
【図５】
2014024590.tif 000007
【図６】
2014024590.tif 000008
【図７】
2014024590.tif 000009
【図８】
2014024590.tif 000010
【図９】
2014024590.tif 000011
【図１０】
2014024590.tif 000012
【図１１】
2014024590.tif 000013
【図１２】
2014024590.tif 000014
【図１３】
2014024590.tif 000015
【図１４】
2014024590.tif 000016
【図１５】
2014024590.tif 000017
【図１６】
2014024590.tif 000018
【図１７】
2014024590.tif 000019
【図１８】
2014024590.tif 000020
【図１９】
2014024590.tif 000021
【図２０】
2014024590.tif 000022
【図２１】
2014024590.tif 000023
【図２２】
2014024590.tif 000024